(57)【要約】      （修正有）【課題】法角側面施工において、３工程作用のメカニズムの機能を装備し、円滑に施工作業を進めることができるユンボを提供する【解決手段】左右にスライドする装置に、駆動システムと、エンジン２の下部フレームに固着したスライド盤５の中央部に歯車付きの回転モーター４を設置し、該スライド盤５の上に歯を受ける穴６の開けた上部スライド盤５に、キャビン７と、左右にスライド移動するブーム８先端にアーム９を、装着した。【選択図】図１
2018112047.tif 000002
【特許請求の範囲】
従来の掘削施工装備のアタッチメントには不具合、問題点のあった課題を解決する手段。
本発明は法角側面の掘削施工方法に多様途作用の３工程にキャビンと左右にスライド移動するブームとアームにメカニズム機能の装備を装着したユンボに関する。
【請求項１】
記載のスライド装置とブームとアームにメカニズム機能装備］
１、左右にスライドする装置に駆動システムとエンジンの下部フレームに固着したスライド盤の中央部に歯車付きの回転モーターを設置したスライド盤の上に歯を受ける穴の開けた上部スライド盤にキャビンと左右にスライド移動するブーム先端にアームを装着したスライド機能装置を提供する。
２、スライドするブームに装備した伸縮ホイストアームと平面施工に調整する変角度回転モーターの設置に本体が傾いても平面施工が出来てブームの伸縮作用しても重心は中心部に有り、安定した法面掘削施工にアームも同時に回転する装備を提供するものである。（先行文献有り）
３、アームに内造した回転の無い角型伸縮ホイストとバケツ伸縮ホイストの装備に遠くのこぼれた土砂を拾い上げながら施工作業が円滑にできるメカニズム機能を提供する。
本発明は法角側面の掘削施工作業を３工程作用のメカニズムの機能に安定した円滑に施工作業を進める装備を装着したユンボを提供する。
［発明の効果］
［従来の背景技術の課題］
従来の法角側面の掘削施工の多様途工法に態様したメカニズム機能を有するアタッチメントの装備には不具合、安定性、問題点の課題がある
［請求項１、記載の２工程のブームシステム］
［実施例の背景技術］
掘削施工の多様途工法の態様に背景技術においては車体が傾くと伸縮ホイストアーム作用では平面施工の修整する変角度はできず、又、遠くの土砂を拾い上げる伸縮ホイストアームの装備を装着したユンボは無かった。
［ブームのメカニズム］
（実施例）
法角側面の掘削施工の多様途の態様に法角側面の施工作業に車体が傾いても５、ブーム本体に装備した１、伸縮ホイストアームでこぼれた土砂を拾い上げ、傾いても平面に修整できる２、変角度モーターを設け、３、伸縮回転ブームの先端に装着したアームはブームが回転するとアームも左右に変角度できる４、回転アームで平面施工ができ傾いても安定作業ができこぼれた土砂を拾い上げ施工できる１、伸縮ホイストブームの装備を装着したユンボにより、背景技術には無かったブームに装備すると重心は中心にあり安定し傾いても平面施工が作業を円滑にすすめるために回転と伸縮ブームの装備を装着したユンボである。
［請求項１、記載の３工程のアームシステム］
［実施例の背景技術］
アームをロングにする伸縮の無い固定した付け替えを必要としているアタッチメントもあり、回転モーター付きのアームのアタッチメントもあるが、重心が前方に有り安定した施工作業は出来ない不具合があった。
（実施例）
背景技術のアタッチメントとは異なる軽くて伸縮する１、アーム本体に内造した回転無しの３、角型伸縮ホイストアームと４、バケツの伸縮ホイストアームの設置に遠くのこぼれた土砂を拾い上げ施工作業を円滑に伸縮する１、アームと８、ブームを長く伸ばしても重心が中心にある為に安定した掘削施工を請求項１、に記載した３工程の１、スライドシステム、２、ブームに設けた変角度モーターと伸縮ブームホイストのシステム、３、アームに設けた角型伸縮ホイストアームシステムを有する装備に背景技術における課題を解決手段にした発明である。
【発明の詳細な説明】
【技術分野】
【０００１】本発明は法角側面の掘削施工方法に多様途作用の３工程にキャビンと左右にスライド移動するブームとアームにメカニズム機能の装備を装着したユンボに関する。【０００２】請求項１、記載のスライド装置とブームとアームのメカニズムの機能装備
１、左右にスライドする装置に駆動システムとエンジンの下部フレームに固着したスライド盤の中央部に歯車付きの回転モーターを設置したスライド盤の上に歯を受ける穴の開けた上部スライド盤にキャビンと左右にスライド移動するブーム先端にアームを装着したスライド機能装置を提供する。
２、スライドするブームに装備した伸縮ホイストアームと平面施工に調整する変角度回転モーターの設置に本体が傾いても平面施工が出来、ブームの伸縮作用しても重心は中心部に有り、安定した法面施工できる装備であり、アームも同時回転する。（先行文献有り）
３、アームに内造した回転の無い角型伸縮ホイストとバケツ伸縮ホイストの装備に遠くのこぼれた土砂を拾い上げながら施工作業が円滑にできるメカニズム機能を提供する。
本発明は法角側面の掘削施工作業を３工程作用のメカニズムの機能に安定した円滑に施工作業を進める装備を装着したユンボを提供する。
【背景技術】
【０００３】（従来の法角側面施工のメカニズム技術）
１、法角施工にブーム移動にホイストアームの作用であるが、キャビンは固定のまま動かず、ブーム移動だけの装置である。
２、バケツの水平角度の調整にブーム先端に回転するアームの装備もあるが、重量が重く重心は前方に有り、安定性は無く伸縮作用も無く不具合が有る。
３、アームをロングにするアタッチメントは伸縮の無い付け替えを必要とした装備であり、不具合が有る。
４、ブームに設けたホイストアーム作用に位置を変えるアタッチメントであるが、飛び出し部分が有り、施工には不具合が有る。
従来のユンボに装着した装備には不具合があった。
［従来の背景技術］
従来のスライドシステムはホイストアーム作用にキャビンは動かず、ブームの位置を変えるだけのスライドや、ブームだけが左右に振るシステムもあるがスライドしても法角側面の正面施工には届かず車体が傾いても平面修整は出来ず、遠くのこぼれた土砂を拾い上げ施工装備を装着したユンボは無かった。
［実施する為の形態］
本発明は掘削施工における多様途工法の態様に請求項１、記載の３工程のメカニズムシステムは（１）１工程スライドシステムはスライド盤を電動又は、油圧モーターの作用にキャビンとブームに装着したアームを同時に左右にスライド移動するシステムと（２）２工程は車体が傾いても変角度して修整する回転モーターをブームに設置、遠くに伸縮ホイストアームが作動してもブームの重心は中心部にあり、安定する。
３工程はアームに内造した回転の無い角型伸縮ホイストアームとバケツの伸縮ホイストアームを設置、遠くのこぼれた土砂を拾い上げながら施工できる。
実施する態様に自由自在の作業を円滑に安定した施工システムの装備を装着したユンボである。
【符号の説明】請求項１、記載の３工程メカニズムシステムの図面の簡単な説明に記載した符号に基づく説明と伸縮ホイストアームの回転システム装備を説明する。
（実施例）
請求項１、記載の３工程の１回転モーターによるスライドシステム。
スライドするメカニズムに１、駆動システムフレームに２、エンジンを合体したフレームに３、スライド盤の中央に左右にスライド移動するための歯車付き４、回転モーターをフレームに固着した３、下部スライド盤の上に５、上部スライド盤に７、キャビン、８、ブームの先端に装着した９、アームを同時に回転モーターに左右に移動するスライドシステムであるが背景技術では伸縮ホイストアームによりスライド作用であったが、スライドシステムの簡単な回転メカニズムによりスライド装備を装着したユンボである。
【先行技術文献】
【０００４】特願    ２０００−１０５６９２
出願人  ５９３０４７７７０
（発明の名称）ブームに設けた変角度装置
［非特許文献］
【０００５】公開特許広報
特開    ２００１−２３３５８４
公開日  平成１３年８月２８日
出願人  ５９３０４７７７０  吉田  進
（発明の名称）ブームに設けた伸縮変角度装置
【発明の概要】
【発明が解決しようとする課題】
【０００６】（従来の法角側面施工のメカニズム装備の問題点）
１、法角施工にブーム移動にホイストアームの作用であるが、キャビンは固定のまま動かず、ブーム移動だけの装置であり、安定施工は容易ではない。
２、バケツの水平角度の調整にブーム先端に回転するアームのアタッチメント装備もあるが重量が重く、重心は前方に有り、不安定であり伸縮作用も無い。
３、アームをロングにするアタッチメントは伸縮作用は無く、付け替えを必要とした装置であり不具合があった。
４、ブームに設けたホイストアーム作用に位置を変えるアタッチメントであるが、飛び出し部分があり施工に不具合がある。
従来の施工するアタッチメントの装備には不具合、問題点の課題があった。
【発明の概要】
【発明が解決しようとする課題】本発明は従来の掘削施工作用にメカニズムアタッチメントの装備に不具合、問題点、の課題を解決にする請求項１、記載の手段である。
１、法角施工にブーム移動にホイストアームの作用であるが、キャビンは固定のまま動かず、ブーム移動だけの装置であり、安定施工は容易ではない。
２、バケツの水平角度の調整にブーム先端に回転するアームのアタッチメント装備もあるが重量が重く、重心は前方に有り、不安定であり伸縮作用も無い。
３、アームをロングにするアタッチメントは伸縮作用は無く、付け替えを必要とした装置であり不具合があった。
４、ブームに設けたホイストアーム作用に位置を変えるアタッチメントであるが、飛び出し部分があり施工に不具合がある。
従来のアタッチメントの装備には不具合、問題点の課題があった。
【課題を解決する為の手段】
請求項１、記載のスライド装置とブームとアームのメカニズム機能の装備。
１、左右にスライドする装置に駆動システムとエンジンの下部フレームに固着したスライド盤の中央部に歯車付きの回転モーターを設置したスライド盤の上に歯を受ける穴の開けた上部スライド盤にキャビンと左右にスライド移動するブーム先端にアームを装着したスライド機能装置を提供する。
２、スライドするブームに装備した伸縮ホイストアームと平面施工に調整する変角度回転モーターの設置に本体が傾いても平面施工が出来、ブームの伸縮作用しても重心は中心部に有り、安定した法面施工できる装備であり、アームも同時回転する。（先行文献有り）
３、アームに内造した回転の無い角型伸縮ホイストとバケツ伸縮ホイストの装備に遠くのこぼれた土砂を拾い上げながら施工作業が円滑にできるメカニズム機能を提供する。
本発明は法角側面の掘削施工作業を３工程作用のメカニズムの機能に安定した円滑に施工作業を進める装備を装着したユンボを提供する。
［課題を解決する為の手段］
【０００７】法角側面の掘削施工方法に多様途作用の３工程に請求項１、記載のスライド装置とブームとアームに装備したメカニズム機能の課題、解決手段
請求項１、記載のスライド装置とブームとアームのメカニズムの機能装備
１、左右にスライドする装置に駆動システムとエンジンの下部フレームに固着したスライド盤の中央部に歯車付きの回転モーターを設置したスライド盤の上に歯を受ける穴の開けた上部スライド盤にキャビンと左右にスライド移動するブーム先端にアームを装着したスライド機能装置を提供する。
２、スライドするブームに装備した伸縮ホイストアームと平面施工に調整する変角度回転モーターの設置に本体が傾いても平面施工が出来、ブームの伸縮作用しても重心は中心部に有り、安定した法面施工できる装備であり、アームも同時回転する。（先行文献有り）
３、アームに内造した回転の無い角型伸縮ホイストとバケツ伸縮ホイストの装備に遠くのこぼれた土砂を拾い上げながら施工作業が円滑にできるメカニズム機能を提供する。
本発明は法角側面の掘削施工作業を３工程作用のメカニズムの機能に安定した円滑に施工作業を進める装備を装着したユンボを提供する。
［課題を解決する為の手段］
従来のメカニズムアタッチメント作用の課題解決手段に装備した請求項１、記載のメカニズム装置の説明。
１、キャビンとブームに装着したアームを同時に左右にスライド移動する装置に駆動システムとエンジン下部フレームに固着したスライド盤の中央部に歯車付きのモーターを設置したスライド盤の上に歯車を受ける穴の開けたスライド盤にキャビンとブームに装着したアームを同時に左右にスライド移動する装置により法角側面の掘削施工作業を円滑に進めるスライド装置を提供する。
２、スライド盤に装着のブームに伸縮ホイストアームと平面施工作業に角度を調整する回転モーターを設置、ブームの伸縮作用をしても重心は中心部にあり安定した掘削施工作業を容易に進めるブームとアームを同時回転を有する装備である。
（先行文献有り）
３、ブームに装着したアームに内造した回転の無い角型伸縮ホイストアームとバケツの伸縮ホイストアームを装備に遠くのこぼれた土砂を拾い上げながら掘削施工作業を容易に進める装備を提供する。
［効果］
本発明は従来のメカニズムアタッチメント機能作用の不具合、問題点の課題を解決する手段に請求項１、記載のメカニズム機能作用を有するアタッチメントに装備したユンボにより、課題を解決した効果がある。
［装備した機能の形態］
１、伸縮ホイストアーム装置のアタッチメントにキャビンは動かず、アームの位置は左右に移動する作用、又、ブームを左右に振る作用は、ブームの動向の法角側面施工には届かず、不具合、安定性の問題点がある。
２、平面施工にバケツの水平角度を調整する為にブーム先端に回転するアームのアタッチメントであるが、伸縮は無く重量は重く重心は前方にあり安定性が無く左右に振る回転は無く、側面施工作業にも不具合がある。
３、遠くの施工作業にアームをロングにするアタッチメントは伸縮の無い、固定した付け替えを必要とした装備には不具合が有る。
４、多様途施工作業に回転は無くアームを変更させるホイストアーム作用のアタッチメントをブームに装着した装備には飛び出し部分があり、不具合がある。
前、記載は従来の背景技術のメカニズム機能作用のアタッチメントには不具合安定性、問題点の課題である。
［課題を解決する為の形態］
従来の前記載の課題解決手段に請求項１、記載の多様途の態様にキャビンとブームに装着したアームを同時に左右にスライド移動する装置とブームに伸縮ホイストアームと変角度調整する回転モーターを設置した装備とアームに内造した回転の無い角型伸縮ホイストアームとバケツの伸縮ホイストアームを設置した装備の３工程作用のメカニズムアタッチメントの装備をユンボに装着した事に従来の課題解決手段にするものである。
［発明を実施する為の最良の形態］
［実施例］
従来の法角側面の掘削施工装備の作用装置の不具合と問題点。
例えば、法角側面の掘削施工のホイストアーム装置のキャビンは動かず、ブームを左右に振り位置を変える作用とアームをロングにするアタッチメントは伸縮の無い固定した装備であり変角度に回転するアームのアタッチメントはあるが重量があり安定性に欠け本体が傾くと調整する装備が無く、安定した掘削施工の作業には不具合と問題点があった。
本発明は左右に移動するスライド装置は簡単なメカニズム機能作用の構成に駆動システムとエンジンを合体した下部フレームにスライド盤の中央部に歯車付きの回転モーターを設置して固着したスライド盤の上に歯車を受ける穴の開けた上部スライド盤にキャビンとブームの先端に装着したアームも同時に左右に移動するスライド装置に法角施工の側面作業は容易に円滑に掘削施工作業ができる。
［実施例］
本体が傾いても、ブームの回転作用にアームも回り角度調整しながら平面施工が保て、ブームが伸縮作用しても重心は中央部にあり、安定した施工作業が出来る。
ブームに装着したアームに内造した回転の無い角型伸縮ホイストアームとバケツの伸縮ホイストアームの装備作用に遠くにこぼれた土砂を拾い上げしながら安定した掘削施工作業を容易に進める装備を装着したユンボを提供した効果がある。
［産業上の利用可能性］
生産方法
構造も簡単メカニズム機能の構成にコストは安価に付き、多大な生産に経済効果は大いに期待できる。
［使用方法］
あらゆる土木の掘削施工作業の多用途方法に態様する事に施工作業を安定した作用装備を装着したユンボの提供に土木の掘削施工方法の多様の用途に使用して大いに貢献できるユンボである。
【図面の簡単な説明】（３装備の図面の説明）
【図１】スライド装置の平面図  １
【図２】ブームの伸縮と回転の斜視図  １
【図３】アームの伸縮の斜視図  １符号の説明  ３
［実施する形態］
請求項１、記載の３工程のメカニズムシステムの多様途工法の実施する態様に法角側面の掘削施工を進めて行くと車体が傾いたときに平面作業をするためには、自由自在にバケツを水平に変角度修整する回転モーターと回転する伸縮ホイスト先端にアームを装着したブームの装備にブームが伸びても重心は中心部にあり、安定性がある、又、法角側面の掘削施工の多様途工法にキャビンと同時に左右のスライド移動にキャビンから見たブームは正面の作業が出来、例え車体が傾いてもブームが回転するとアームの同時回転と伸縮ブームホイストと遠くのこぼれた土砂を拾い上げながら施工作業が出来る。
アームに内造した回転の無い角型伸縮ホイストアームとバケツの伸縮ホイストアーム装備の３工程メカニズムシステムの機能作用に掘削施工の多様途の態様にした簡単な回転するメカニズムと伸縮ホイストシステムにより、背景技術によるフレームに設けたホイストアーム作用のブームシステムと回転するアームのアタッチメントは重量が重く不具合があり、伸縮のない固定した付け替えを必要とした不具合があり、回転するシステムはアームであり、安定性、不具合、問題点の課題を解決手段にしたものであり背景技術の伸縮ホイストによるアームのシステムは飛び出し部分の不具合が有り、本発明は従来のシステムとは異なる相違点のある発明である。
この発明により背景技術の課題を解決する為に、手段にした図面の簡単な説明、提示した符号に基づき、メカニズム機能のシステムの装備を装着したユンボの符号に基づいた説明を述べたものである。
（スライド方法の実施３例）
１、（４）歯車付モーターによるスライドシステム
２、（１２）ホイストアームによるスライドシステム
３、（１３）チェーンベルトによる（電動、油圧）モータのスライドシステム
本発明は、スライドシステム、ブームシステム、アームシステムの３作用の装備に自由、自在に安定した掘削施工作業を装着したユンボを提供する効果ある発明である。
前記載に述べたとうり、この発明はキャビンとブームを同時に移動する３方法のスライドシステムと、伸縮ホイストと回転するブームシステムと回転なしの角型伸縮ホイストアームシステムの３システムの装備を装着して一体化したユンボである。
【符号の説明】（背景技術と実施例）
［背景技術］
従来の法角側面掘削施工の多用途工法に態様してきたユンボに装備したメカニズム機能のシステム作用の課題。
［課題］
１、法角施工作業にホイストアームのスライドによるキャビンは動かず、ブームだけが位置を買えスライドするが、施工が見えづらい、又、ブームだけが左右に振るホイストアームによる移動する、車体が傾いても修整ができず、こぼれた土砂拾いは届かない不具合、安定性には問題があった。
（実施例）
解決手段にキャビンとアーム先端に装着したアームを同時に左右に移動する電動、又は、油圧モーターのスライド装置により円滑な施工作業ができる。
２、平面施工にバケツの水平角度の修整にブーム先端にアームが回転するアタッチメントもあるが、重量も重く、重心が前方にあり安定性が悪く、左右に振る作用は無く、伸縮も無い。
（実施例）
平面掘削施工にバケツの水平角度を修整するブームに装備した左右にアームも回転する回転モーターと伸縮ホイストアームの装備にブームの重心は中心部にあり安定しブームが左右に回転するとアームも変角度する、又、遠くの土砂にも届き車体が傾いても安定した施工作業ができる。
３、遠くの施工にアームをロングにするアタッチメントはあるが、固定した伸縮の無い付替えを必要とした装備であり、施工作業にも届かぬ不具合がある。
（実施例）
アームに内造した回転の無い角型伸縮ホイストアームとバケツの伸縮ホイストアームの装備に遠くのこぼれた土砂を拾い上げながら施工範囲を広げた施工作業ができる。
４、多用途工法にアームの位置を変向させるホイストアームのアタッチメントをブームに装着の装備には飛び出し部分があり、車体が傾くと平面作業は出来ず不具合がある。
（実施例）
車体が傾いてもブームを回転させるとアームは左右に振り、水平を保ち変角度しながら円滑な施工作業ができ、飛び出し部分が無い伸縮しても重心は中心部にあり、安定した掘削施工作業ができる。
５、スライド方法の実施３例
１、（４）、歯車付モーターによる上部スライド盤に歯車受け穴を開けたスライドシステム
２、（１２）スライドホイストによるホイストアームにスライドさせるシステム
３（１３  スライドチェーンベルトによる上部スライド盤に固着して（電動・油庄）モーターでスライドさせるシステム
【図１】
2018112047.tif 000003
【図２】
2018112047.tif 000004
【図３】
2018112047.tif 000005